(57)【特許請求の範囲】
【請求項１】
接近または接触に感応する操作面を含んでいるセンサを用いて印刷機を制御するための装置であって、
前記センサの操作面は機械操作者の身体部分が接近または接触すると印刷機を投入接続する機能を有しており、
印刷機は、前記投入接続の機能により生じた投入接続信号が２回相次いで現れかつその際に印刷機の機械制御部（４）における監視ユニットによって監視かつ検査される次の条件が満たされているとき、ようやく自動的に投入接続される：
生じた投入接続信号は前以て決められた時間内に消失していること（Ｓ２）、
投入接続信号の第１の出現の時点に前以て決められた時間的な距離をおいて続く第１の前以て決められた時間間隔内には前記センサの機能のロックに基づいて別の投入接続信号は存在しておらず（Ｓ３）、かつ
第１の前以て決められた時間間隔に続く第２の前以て決められた時間間隔内に投入接続信号が新たに出現する（Ｓ４）
印刷機の制御装置。
【請求項２】
接近または接触に感応する操作面を含んでいるセンサを用いて印刷機を制御するための装置であって、
前記センサの操作面は機械操作者の身体部分が接近または接触すると印刷機の投入接続の機能を有している第１の部分面（６）と、機械操作者の身体部分の接近または接触に反応して前記第１の部分面（６）の機能を前以て決められた時間の間ロックする第２の部分面（７）とを有しており、ただし第２の部分面（７）は第１の部分面（６）の周りに配置されており、
印刷機は、前記センサの前記第１の部分面（６）により生じた投入接続信号が２回相次いで現れかつその際に印刷機の機械制御部（４）における監視ユニットによって監視かつ検査される次の条件が満たされているとき、ようやく自動的に投入接続される：
前記センサの前記第１の部分面（６）により生じた投入接続信号は前以て決められた時間内に消失していること（Ｓ２）、
投入接続信号の第１の出現の時点に前以て決められた時間的な距離をおいて続く第１の前以て決められた時間間隔内には、前記機能のロックに基づいて、前記センサの前記第１の部分面（６）により生じた投入接続信号は存在しておらず（Ｓ３）、かつ
前記第１の前以て決められた時間間隔に続く第２の前以て決められた時間間隔内に、前記センサの前記第１の部分面（６）により生じた投入接続信号が新たに出現する（Ｓ４）
印刷機の制御装置。
【請求項３】
前記第２の部分面（７）は全体として、前記第１の部分面（６）より著しく大きな面積を占めている
請求項２記載の印刷機の制御装置。
【請求項４】
前記第２の部分面（７）は、前記第１の部分面（６）の周りにリング状につながっている面を形成する
請求項２または３記載の印刷機の制御装置。
【請求項５】
前記操作面は実質的に平坦である
請求項２から４までのいずれか１項記載の印刷機の制御装置。
【請求項６】
前記操作面は接触に感応するセンサ領域である
請求項２から５までのいずれか１項記載の印刷機の制御装置。
【請求項７】
前記操作面は接触に感応する画面であり、該画面は、前記第１の部分面および第２の部分面を形成する部分形象を指示する
請求項６記載の印刷機の制御装置。
【発明の詳細な説明】
【０００１】
【発明の属する技術分野】
本発明は印刷機の制御装置に関する。
【０００２】
【従来の技術】
印刷機のような危険が潜在している機械はこれまで例えば、電気機械的なフィーラの手動操作によって投入接続される。この種のフィーラは所定の操作力を必要としてかつ有利には定められた圧力点を有している。これにより、機械の意図しない始動は、加えて、音響的な始動警告およびノット・オフ・フィーラ（Not-Aus-Taster）のような付加的な安全装置が設けられているときには、確実に妨げられる。更に、ヨーロッパ特許出願公告第００９５６６４号公報から、誤作動の可能性を低減するために、命令が実施されるように命令キーを２回押圧しなければならない、印刷機用制御装置が公知である。
【０００３】
操作を簡単にするために、機械の投入接続を電気機械式スイッチとは別の操作エレメントまたはフィーラによっても行うことができるようにすれば、望ましい。この種の操作エレメントは例えば、接触に感応する画面、所謂タッチ・スクリーン、接触に感応するセンサ領域、所謂タッチ・パッド、例えばデータ端末装置、所謂ターミナルまたはパーソナルコンピュータにおいて使用されるようなシートキーボード装置である。確かにこの種の操作エレメントを備えたターミナルまたはパーソナルコンピュータは印刷機の数多くの機能を制御および／または監視するために使用することができるが、安全上の理由からこれまで印刷機の始動を可能にしていない。というのは、操作エレメントは例えば、指で誤って触れることによってまたはタッチ・スクリーンのクリーニングの際にそれが生じるように、擦る動作によって、誤ってトリガされ易いからである。
【０００４】
【発明が解決しようとする課題】
本発明の課題は、接触または近接に感応する操作エレメントを危険をはらむ機械の投入接続過程のために使用することができるようにするために、これらの操作エレメントに誤トリガを確実に保護する機能を備えることである。
【０００５】
【課題を解決するための手段】
請求項１および請求項２に記載されているように、本発明の装置は、時間的および／または空間的な形式であってよい、ロック作用する領域を定めるという共通の解決原理に基づいている。ロック作用をする時間ウィンドウを有する解決法では、前以て決められた時間パターンがあり、機械の投入接続をイネーブル化するためにはその時間パターン内に前以て決められた操作が行われなければならない。操作面上にロック作用をする部分面を有する解決法では、機械操作者による操作に対応していなければならない空間的なパターンがある。両方の解決法とも、意図していない誤トリガの確率を著しく低減する。時間パターンと空間パターンとを組み合わせることによって安全性を一層高めることができ、その際機械操作者による操作は両方のパターに対応していなければならない。
【０００６】
【発明の実施の形態】
有利な実施例において、センサまたはセンサ領域ないし操作面は接触に感応するものであるが、択一的に、近接スイッチを使用することもできる。近接スイッチは、それに機械操作者の身体部分が接近すると既に応答する。本発明は、操作面としてタッチスクリーンおよびタッチ・パッドに特別適しているが、キーボード装置、殊にシート式キーボード装置にも適している。
【０００７】
方法において、時間条件を、投入接続信号の第１の発生の時点と第１の前以て決められた時間間隔との間の前以て決められた時間間隔が１ｓでありかつ第１の前以て決められた時間間隔が２ｓであるように選択すると、殊に印刷機において安全性と操作のし易さとの間の有利な妥協的解決が計られる。更に、第２の前以て決められた時間間隔は短くとも３ｓ、長くとも６ｓとすべきでありかつこの時間間隔は第１の時間間隔に直接続くようにすべきであるが、第１の前以て決められた時間間隔に第２の時間間隔がある程度の前以て決められた時間間隔をおいて続くようにすることもできる。
【０００８】
本発明の装置によって、第２の１つの部分面または第２の複数の部分面が全体として第１の部分面より著しく大きな面積を占めている、もしくは第２の１つの部分面または第２の複数の部分面が第１の部分面の近傍に配置されていれば、誤トリガに対して高い安全性が実現される。タッチスクリーンまたはタッチ・パッドに対する有利な実施例においで、第２の部分面は第１の部分面の周りのリング状の１つのつながった面を成している。
【０００９】
本発明は、タッチスクリーンまたはタッチ・パッドのような実質的に平坦な操作面に制限されていない。それどころか操作面という表現は、空間において湾曲しているかまたは角張っていてよい、平面に沿ったどんな配置のセンサにも及んでいる。
【００１０】
本発明は印刷機における投入接続過程に特別適しているが、別の機械、例えばバインダ機、切断機および印刷環境における別の機械にも適している。
【００１１】
本発明の別の有利な実施の態様はその他の請求項に記載されている。
【００１２】
【実施例】
次に本発明を図示の実施例につき図面を用いて詳細に説明する。
【００１３】
図１に示された操作ユニット１は、印刷機の管理台に存在しておりかつ印刷機制御部４と電気的または光学的な接続部３（例えばケーブル、高周波導体またはデータ伝送のための適当なインタフェースを有する光導波体）を介して接続されているタッチスクリーン２を備えたパーソナルコンピュータまたはターミナルを有している。機械操作者がタッチスクリーン２上の、表記「作動」を有する部分領域５に接触している間、操作ユニット１は投入接続信号を印刷機制御部４に送信する。印刷機制御部は任意の構造の実時間制御部とすることができる。タッチスクリーン２上には、洗浄、方向転換などのような別の安全性上重要な過程をトリガするために、別の部分領域が設けられていてよい。例えば、所定の条件が満たされているとき、洗浄過程をスタートさせる、表記「洗浄」を有する部分領域を設けておくことができる。このことを以下、印刷機の始動を例にとって説明する。
【００１４】
印刷機制御部４は、投入接続シーケンスを監視する、即ち投入接続信号が現れる時間順序を監視する監視ユニットを含んでいる。この作動は図２に示されており、その際ｘは「実時間」、即ち投入接続信号が１回目に現れる時間であり、ｙは、投入接続信号が現れないはずの「オフ時間」であり、かつｘ＋ｙは印刷機の始動警告時間である。
【００１５】
ステップ１において、持続的に、投入接続信号が存在しているか否かが検査される。これと平行して、例えば安全キャップが閉鎖されているかどうかなどを監視する、印刷機における監視装置に対する連続的な安全性に関する質問が行われる。安全な印刷機において投入接続信号が現れるや否や、音響的な始動警告がトリガされかつステップＳ２で以て監視が続けられる。ステップＳ２では、投入接続信号がｘ秒内で再び消失するかどうかが検査される。ノーであれば、監視はステップＳ１に戻りかつ新しい投入接続信号を待つ。ステップＳ２において投入接続信号がその最初の出現後、ｘ秒内に消失する場合、監視はステップＳ３を以て先に進む。ステップ３において、引き続くｙ秒の間に、投入接続信号が現れるか否かが検査される。信号があれば、監視はステップＳ１に戻る。ｙ秒内に投入接続信号が現れない場合、ステップＳ４において、投入接続信号が始動警告時間の経過後、例えば６Ｓである時間内に新たに現れるかどうかを検査する。ノーであれば、監視はステップＳ１に戻る。作動キー（例えば部分領域５）が６Ｓの時間間隔内に２回目として操作されている場合は、ステップＳ５において例えば時間当たり３０００刷りを有する印刷機の作動がスタートされる。
【００１６】
正しい投入接続シーケンスおよび誤った投入接続シーケンスに対する例が図３のａおよびｂに示されており、ここでは１ｓの「オン時間」および２ｓの「オフ時間」から出発している。切換状態が縦軸に「０」ないし「１」で示されている、作動キーの第１の操作によって、時点ｔ＝ｚにおいて印刷機の始動警告が３ｓの間発せられる。タッチスクリーン２における作動キーの操作の１ｓ後に作動キーは釈放されていなければならずかつ次の２ｓの間には作動キーから信号が現れてはならない。２ｓのこの監視時間内に、エラー信号が検出された場合には、印刷機制御部４は基本状態に復帰する。図３のｂには、２つのエラー信号の形態が示されている。１つは長すぎる第１のキー押圧の形態であり１つは「オフ時間」期間の別のキー押圧の形態である。始動警告の経過後、続く６ｓ（図ではｚ＋３ｓとｚ＋９ｓとの間の部分的にしか見えていない時間間隔）内に作動キーが２回目として操作されていなければならず、かつその時漸く印刷機は実際にスタートされる。この場合は図３のａ）に例示されている。
【００１７】
図４ａには、印刷機の意図しない始動を妨げるために、図１の場合のようにタッチスクリーンまたは別の面状の操作エレメントを介する印刷機の投入接続を「エラー防止」するように制御する方法に対して択一的または付加的な方法が示されている。図４ａには、タッチスクリーンの部分が平面図にて示されており、そこには接触すると直ちに始動警告およびそれに続く機械作動をトリガする投入接続エリア６がリング形状のロックエリア７によって取り囲まれている。ロックエリア７に接触すると、例えば１０Ｓの間、投入接続エリア６の機能をロックする。これにより、誤った接触によるまたはタッチスクリーン２のクリーニングの際の誤トリガに対する確率は非常に僅かになる。
【００１８】
図４のａに基づいて説明した原理は、つながっている面を成しておらず、ディスクレートな操作エレメントを適当に配置することによって形成される、別の形式の操作面にも転用することができる。例えば、シート式キーボード装置のような従来のキーボード装置または押圧点キーを備えたキーボード装置を適当にアレンジすることができる。図４ｂには、この種のキーボード装置の２、３のキーが示されており、その際唯一のキー８が印刷機のスタートをトリガしかつキー群９からのいずれかのキーの操作はキー８の機能を例えば２０ｓの間ロックする。これにより、「いじくり回し」による誤トリガの確率は低くなる。図４ｂに示されているような１つのキー群９の代わりに、複数のキー群、キー８の周りの２、３のキーまたはキー群またはキーボード装置の残りの全部のキーがロック作用をするようにしてもよい。図４ｂの原理を使用することができる別の例は、分配式に配置されている近接スイッチの群であり、そのうち１つはスタートをトリガしかつその他の２、３のまたは全部がロック作用をする。
【００１９】
図４ａおよび図４ｂに基づいて説明した方法が図１ないし図３に基づいて説明した方法と組み合わされるとき、うっかりした誤トリガを更に確実に排除することができる。
【図面の簡単な説明】
【図１】印刷機制御部に接続されているタッチスクリーンを有するパーソナルコンピュータまたは端末の形の操作ユニットの概略図である。
【図２】図１の印刷機制御部における監視ユニットの作動を示すフローチャートである。
【図３】監視作動を説明するための時間シーケンスを表す線図である。
【図４】ロック作用をする部分面を備えた操作面に対する種々の実施例を示す略図である。
【符号の説明】
１  操作ユニット、  ２  タッチスクリーン、  ３  接続部、  ４  印刷機制御部、  ５  部分領域、  ６  投入接続エリア、  ７  ロックエリア、  ８  キー、  ９  キー群
【図１】
0004180162.tif 000002
【図２】
0004180162.tif 000003
【図３】
0004180162.tif 000004
【図４】
0004180162.tif 000005